(57)【特許請求の範囲】
【請求項１】
浴室の壁面を構成する壁パネルの上端に取付固定されるとともに、上方に向かって突出し、上記壁パネルより上方に配置される嵌合片を有する硬質の壁押さえ縁と、
浴室の天井を形成する天井パネルに取付固定されるとともに、上記壁押さえ縁の嵌合片と嵌合可能に下方に向かって開ロした嵌合溝を有する天井廻し縁と、を備え、
上記嵌合片の先端に、弾性変形可能な軟質部が形成されることを特徴とする浴室ユニット。
【請求項２】
前記軟質部は、滑り止めとしても機能することを特徴とする請求項１記載の浴室ユニット。
【請求項３】
前記天井パネルは、表面材と裏打ち材との少なくとも２層を有し、上記表面材は、上記天井パネル端部において上記裏打ち材側に折曲されて折曲部を形成し、該折曲部先端は上記天井パネルの外方側へ折曲されて延出部を形成するとともに、
前記天井廻し縁は、上記延出部を下方から支持する表面材支持部を備えることを特徴とする請求項１記載の浴室ユニット。
【請求項４】
前記壁押さえ縁は、浴室壁面から浴室内方に向けて突出する上段軟質部及び下段軟質部の２段の軟質部を、前記天井パネルの下面より上方に備え、上記上段及び下段軟質部は、前記壁パネルの表面と上記天井パネルの側面との間に生じる隙間を閉塞することを特徴とする請求項１記載の浴室ユニット。
【請求項５】
上記上段軟質部は、該上段軟質部の下方且つ上記下段軟質部の上方において、壁押さえ縁を上記壁パネルの浴室内側から該壁パネルにネジ固定するネジの露出部と接触可能に形成されたことを特徴とする請求項４記載の浴室ユニット。
【発明の詳細な説明】
【技術分野】
【０００１】
本発明は、浴室ユニットに係り、特に天井パネル取付時の損傷防止を配慮した浴室ユニットに関する。
【背景技術】
【０００２】
浴室ユニットの天井パネルと壁パネルとの連結構造において、壁パネルに取り付けられて上方に向かって突出した嵌合片を有する壁押さえ縁と、天井パネルに取り付けられて上記嵌合片と嵌合可能な嵌合溝を有する天井廻し縁とを備え、壁押さえ縁の嵌合片を天井廻し縁の嵌合溝に嵌合させて、天井パネルと壁パネルとを連結する構造が知られている（例えば、特許文献１，２参照。）。
【０００３】
これらのうち、特許文献１に記載された例では、嵌合片は、壁押さえ縁を介することなく、壁パネル本体の上端縁に沿って設けられた補強フレームの上面に直接突設されている。 
他方、特許文献２には、壁パネルの上端に突設された嵌合片と、この嵌合片に嵌合する嵌合溝を有し天井パネルの側端部を嵌入把持するパネル接続材とを用いる例が示されている。この場合、壁押さえ縁の一部の機能及び天井廻し縁は、パネル接続材として一体化されている。
【０００４】
このような天井パネルの取付に際しては、天井パネルを浴室ユニット内に搬入した後、一旦、四周に立設された壁パネル上に仮置きし、位置合わせ等を行って最終的に壁パネルと連結することが多い。
【０００５】
【特許文献１】特開平１１−３４３７５０号公報
【特許文献２】特開２００５−３０７６１８号公報
【発明の開示】
【発明が解決しようとする課題】
【０００６】
しかしながら、特許文献１に記載された例では、嵌合片の先端が鋭利であるので、天井パネルを仮置きする際、或いは仮置きした後に壁パネル上をスライドさせる際等に、天井パネルが嵌合片の先端で傷付くおそれがある。また、天井パネルの一端のみが仮置きされているとき等には、嵌合片の先端で天井パネルを支えることになるが、このとき、天井パネルが滑り落ち易いという問題がある。天井パネルが滑り落ちれば当然傷も付く。
【０００７】
これに対し、特許文献２に示された例では、嵌合片の先端が曲面に形成されているものの、強度が必要な嵌合片と斯かる先端とが同一材料から構成されているので先端が固く、やはり嵌合片の先端で天井パネルが傷付くおそれがある。また、天井パネルの一端のみが仮置きされているとき等には、嵌合片の先端で天井パネルを支えることになり、このとき天井パネルが滑り落ち易いという点は特許文献１と同様である。
【０００８】
本発明は、上述した事情を考慮してなされたもので、天井パネルを壁パネルの上端に仮置きしても天井面が傷付かないようにした浴室ユニットを提供することを目的とするものである。
【課題を解決するための手段】
【０００９】
本発明に係る浴室ユニットは、上述した課題を解決するために、請求項１に記載したように、浴室の壁面を構成する壁パネルの上端に取付固定されるとともに、上方に向かって突出し、上記壁パネルより上方に配置される嵌合片を有する硬質の壁押さえ縁と、浴室の天井を形成する天井パネルに取付固定されるとともに、上記壁押さえ縁の嵌合片と嵌合可能に下方に向かって開ロした嵌合溝を有する天井廻し縁とを備え、上記嵌合片の先端に、弾性変形可能な軟質部が形成されるものである。
【００１０】
前記軟質部は、好適には、請求項２に記載したように、滑り止めとしても機能することが望ましい。
【００１１】
また、好適には、請求項３に記載したように、前記天井パネルは、表面材と裏打ち材との少なくとも２層を有し、上記表面材は、上記天井パネル端部において上記裏打ち材側に折曲されて折曲部を形成し、該折曲部先端は上記天井パネルの外方側へ折曲されて延出部を形成するとともに、
前記天井廻し縁は、上記延出部を下方から支持する表面材支持部を備えるようにしてもよい。
【００１２】
そして、好適には、請求項４に記載したように、前記壁押さえ縁は、浴室壁面から浴室内方に向けて突出する上段軟質部及び下段軟質部の２段の軟質部を、前記天井パネルの下面より上方に備え、上記上段及び下段軟質部は、前記壁パネルの表面と上記天井パネルの側面との間に生じる隙間を閉塞する構成とすることができる。
【００１３】
上記上段軟質部は、より好適には、請求項５に記載したように、該上段軟質部の下方且つ上記下段軟質部の上方において、壁押さえ縁を上記壁パネルの浴室内側から該壁パネルにネジ固定するネジの露出部と接触可能に形成されたものとすることができる。
【発明の効果】
【００１４】
本発明に係る浴室ユニットによれば、天井パネルを壁パネルの上端に仮置きしても天井面が傷付かないようにすることができる。
【発明を実施するための最良の形態】
【００１５】
本発明に係る浴室ユニットの一実施形態について、添付図面を参照して説明する。図１は、本実施形態に係る壁パネルと天井パネルとの連結構造を示すものであり、図２は、図１に示された壁パネルと天井パネルとの連結構造において、天井パネルを壁パネル上に仮置きした状態を示している。
【００１６】
本実施形態に係る浴室ユニットでは、図示しない防水パン上に支柱１が複数立設され、支柱１の頂部近傍は繋ぎ材２によって相互に接続されている。
【００１７】
隣接する支柱１間に架設される壁パネル３は、表面材としての化粧鋼板３１と、芯材としての石膏ボード３２と、裏打ち材としての鋼板３３との３層より構成される。化粧鋼板３１は、壁パネル３の頂部において、石膏ボード３２側へと折曲されている。
【００１８】
壁パネル上端には、硬質の壁押さえ縁４が、その取付部４ａが化粧鋼板３１及び石膏ボード３２を挟み込むように取り付けられ、ねじ５によって壁パネル３にねじ止めされる。
【００１９】
壁押さえ縁４は、取付部４ａ上に、上方に向かって略Ｕ字状に突出する嵌合片４ｂを備える。そのＵ字のそれぞれの先端には、軟質部４ｃが取着される。
【００２０】
他方、取付部４ａの浴室内側の側面から、浴室内方に向けて、弾性変形可能な上段軟質部４ｄ及び下段軟質部４ｅの２段の軟質部が突設されている。
【００２１】
この壁押さえ縁上に、後述する天井廻し縁７を介して取り付けられる天井パネル６は、表面材としての化粧鋼板６１と、裏打ち材としての石膏ボード６２との２層より構成される。
【００２２】
化粧鋼板６１は、天井パネル６側端において、石膏ボード６２側へ折曲されて折曲部６１ａを形成し、この折曲部６１ａの先端は、天井パネル６の外方側へさらに折曲されて延出部６１ｂを形成する。
【００２３】
折曲部６１ａは、天井パネル６が所定の位置に配置された際に、ねじ５や壁押さえ縁４を隠すために、天井パネル６の表面が壁押さえ縁４下端より十分下方に来るように、一定以上の長さを有している。
【００２４】
また、延出部６１ｂは、図１に示すように、天井パネル６が所定の位置に配置された際に、その先端が壁押さえ縁４上に載置されるように、壁パネル３の表面と天井パネルの折曲部６１ａとの間に生じる隙間Ｓの幅以上の長さを有している。
【００２５】
天井廻し縁７は、天井パネル６の石膏ボード６２裏面に接着される取付部７ａから、天井パネル外方へ延出する延出部７ｂを備える。延出部７ｂの先端近傍には、下方に向かって開ロした嵌合溝７ｃが設けられる。
【００２６】
また、延出部７ｂの一部は、取付部７ａ側へ天井パネル６の延出部６１ｂを巻き込むように折り返され、表面材支持部７ｄが形成される。この表面材支持部７ｄは、壁押さえ縁４の取付部４ａ上に載置される。これにより、天井パネル６の延出部６１ｂが表面材支持部７ｄ上に載置され、表面材支持部７ｄが天井パネル６の荷重の一部を分担するので、天井廻し縁７が、取付部７ａのみによって天井パネル６に取り付けられる場合に比べて、天井廻し縁７をより確実に天井パネル６に取り付けることができる。
【００２７】
このように、壁パネル３には壁押さえ縁４が、天井パネル６には天井廻し縁７が、それぞれ予め取り付けられている。そして、天井パネル６の所定の位置への取付は、天井廻し縁７の嵌合溝７ｃを壁押さえ縁４の嵌合片４ｂ上に持ってきて、嵌合片４ｂを嵌合溝７ｃに嵌入させることによって行う。
【００２８】
天井パネル６が、こうして所定の位置に取り付けられると、壁押さえ縁４の下段軟質部４ｅは、天井パネル６の化粧鋼板６１の折曲部６１ａに押圧されて変形し、折曲部６１ａに当接する。これにより、壁押さえ縁４やねじ５が、浴室内から見えないように掩蔽されるとともに、隙間Ｓから蒸気等の水分が浴室外の建築躯体側に逃げ出すことが防止される。
【００２９】
下段軟質部４ｅと同様に、上段軟質部４ｄも天井パネル６の化粧鋼板６１の折曲部６１ａに押圧されて変形し、折曲部６１ａに当接する。このように二重に遮蔽することにより、隙間Ｓから蒸気等の水分が浴室外の建築躯体側に逃げ出すことがより確実に防止される。
【００３０】
なお、嵌合片には凸部４ｆが、嵌合溝には凸部７ｅが設けられ、嵌合片４ｂが嵌合溝７ｃに嵌入後は、凸部４ｆの側面と凸部７ｅの側面とが衝合して容易には抜け落ちないようになっている。
【００３１】
本実施の形態に係る浴室ユニットは上記のように構成されており、以下その取付手順について説明する。
【００３２】
天井パネル６は、浴室ユニット内に搬入されると、図２に示すように、一旦、四周に立設された壁パネル上に仮置きされる。より具体的には、壁押さえ縁４の嵌合片４ｂ上に天井パネル６の化粧鋼板６１が載置される。
【００３３】
このとき、嵌合片４ｂの先端に取り付けられた軟質部４ｃがクッション材の役目を果たし、化粧鋼板６１の表面が傷付くことが防止される。また、軟質部４ｃは天井パネル６に押圧されて扁平に変形し、摩擦抵抗が大きくなる。これにより、天井パネル６が水平にではなく、傾いて壁押さえ縁４上に仮置きされても、滑り落ちることが防止される。
【００３４】
このように仮置きされた天井パネル６は、所定の位置に納めるべく嵌合片４ｃから下ろされる。この際、図３に示すように、天井パネル６の折曲部６１ａが、壁押さえ縁４を壁パネル３にねじ止めしているねじ５のねじ頭と接触し、損傷するおそれがある。しかしながら、上段軟質部４ｄが折曲部６１ａに押圧されて、ねじ５のねじ頭を覆うように変形する。これにより、折曲部６１ａが損傷することが防止される。
【００３５】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００３６】
例えば、壁押さえ縁は、壁パネルと一体に形成されてもよく、また、天井廻し縁も天井パネルと一体化して形成されてもよい。
【図面の簡単な説明】
【００３７】
【図１】本発明に係る浴室ユニットの壁パネルと天井パネルとの連結構造の一実施形態を示す図。
【図２】図１に示された壁パネルと天井パネルとの連結構造において、天井パネルを壁パネル上に仮置きした状態を示す図。
【図３】本実施形態の天井パネルを、仮置き状態から壁パネルとの連結状態へと移行させる途中を示す図。
【符号の説明】
【００３８】
１  支柱
２  繋ぎ材
３  壁パネル
３１  化粧鋼板
３２  石膏ボード
３３  鋼板
４  壁押さえ縁
４ａ  取付部
４ｂ  嵌合片
４ｃ  軟質部
４ｄ  上段軟質部
４ｅ  下段軟質部
４ｆ  凸部
５  ねじ
６  天井パネル
６１  化粧鋼板
６１ａ  折曲部
６１ｂ  延出部
６２  石膏ボード
７  天井廻し縁
７ａ  取付部
７ｂ  延出部
７ｃ  嵌合溝
７ｄ  表面材支持部
７ｅ  凸部
Ｓ  隙間
【図１】
0004958071.tif 000002
【図２】
0004958071.tif 000003
【図３】
0004958071.tif 000004